(57)【要約】【課題】溶着工程を廃止することでコストダウンを図る。【解決手段】本明細書によって開示されるコネクタ１０は、筒状をなす端子接続部３１を有する端子３０と、端子接続部３１の内部に挿入される軸部２２を有する絶縁部材２０と、突起４３を有するハウジング４０とを備えたコネクタ１０であって、端子接続部３１は、突起４３を挿通させる挿通孔３７を有し、軸部２２は、挿通孔３７を通過して端子接続部３１の内部に突出した突起４３が内部に収容される収容部２３を有し、突起４３は、挿通孔３７の孔縁３８と収容部２３の内壁２５との双方に係止可能である構成とした。【選択図】図６
2018022582.tif 000002
【特許請求の範囲】
【請求項１】
筒状をなす端子接続部を有する端子と、
前記端子接続部の内部に挿入される軸部を有する絶縁部材と、
突起を有するハウジングとを備えたコネクタであって、
前記端子接続部は、前記突起を挿通させる挿通孔を有し、
前記軸部は、前記挿通孔を通過して前記端子接続部の内部に突出した前記突起が内部に収容される収容部を有し、
前記突起は、前記挿通孔の孔縁と前記収容部の内壁との双方に係止可能であるコネクタ。
【請求項２】
前記端子接続部は、円筒状をなし、前記軸部の外面には、前記絶縁部材の前記端子に対する装着方向に延びるガイドリブが設けられ、前記端子接続部には、前記ガイドリブが進入する溝部が設けられている請求項１に記載のコネクタ。
【請求項３】
前記挿通孔は、前記端子接続部の前後両端位置を除く中間位置に配されている請求項１または請求項２に記載のコネクタ。
【請求項４】
前記突起は、片持ち状に延びる形態をなすロック片の自由端部に設けられている請求項１から請求項３のいずれか一項に記載のコネクタ。
【発明の詳細な説明】
【技術分野】
【０００１】
本明細書によって開示される技術は、コネクタに関する。
【背景技術】
【０００２】
従来、触指対策として端子本体の先端に絶縁性の先端絶縁部を設けた端子として、特開２０１４−６３６８７号公報に記載のものが知られている。端子本体には、軸方向に貫通するロッド貫通孔を有する端子接触部が設けられている。先端絶縁部は、ロッド貫通孔を貫通する貫通ロッド部を有する絶縁部材の一部として形成されている。貫通ロッド部をロッド貫通孔に前方から挿入すると、貫通ロッド部の後端部がロッド貫通孔の後方に突出し、この突出した部分を熱溶着することによって拡径部に係止させるようにしている。拡径部は、端子本体に絞り加工を施すことによってロッド貫通孔よりも大径に形成されている。
【先行技術文献】
【特許文献】
【０００３】
【特許文献１】特開２０１４−６３６８７号公報
【発明の概要】
【発明が解決しようとする課題】
【０００４】
しかしながら、上記の端子では、貫通ロッド部の後端部を拡径部で溶着する必要があるため、拡径部の形状がばらつくことで溶着強度（保持力）にもばらつきが発生する可能性がある。また、貫通ロッド部の後端部を溶着させる熱溶着工程が必要になるため、端子全体としてのコストアップが課題となる。
【課題を解決するための手段】
【０００５】
本明細書によって開示されるコネクタは、筒状をなす端子接続部を有する端子と、前記端子接続部の内部に挿入される軸部を有する絶縁部材と、突起を有するハウジングとを備えたコネクタであって、前記端子接続部は、前記突起を挿通させる挿通孔を有し、前記軸部は、前記挿通孔を通過して前記端子接続部の内部に突出した前記突起が内部に収容される収容部を有し、前記突起は、前記挿通孔の孔縁と前記収容部の内壁との双方に係止可能である構成とした。
【０００６】
このような構成によると、絶縁部材の軸部を端子接続部の内部に挿入し、この端子をハウジングに装着すると、ハウジングの突起が挿通孔に挿通されるとともに、挿通孔を通過して収容部の内部に収容される。この状態では、突起が挿通孔の孔縁と収容部の内壁との双方に係止するため、絶縁部材と端子の双方をハウジングに保持することができ、絶縁部材の軸部を端子接続部の内部に保持することができる。したがって、絶縁部材を端子に保持させるための溶着工程を廃止することができ、コストダウンを図ることができる。
【０００７】
本明細書によって開示されるコネクタは、以下の構成としてもよい。
前記端子接続部は、円筒状をなし、前記軸部の外面には、前記絶縁部材の前記端子に対する装着方向に延びるガイドリブが設けられ、前記端子接続部には、前記ガイドリブが進入する溝部が設けられている構成としてもよい。
このような構成によると、ガイドリブを溝部に進入させることで、軸部を端子接続部に対して周方向に位置決めすることができる。
【０００８】
前記挿通孔は、前記端子接続部の前後両端位置を除く中間位置に配されている構成とした。
このような構成によると、端子接続部の中間位置で突起を挿通孔の孔縁に係止させることができるため、例えば突起を端子接続部の後端位置で係止させる場合に比較して端子の全長を短くすることができ、コネクタの全長を短くすることができる。
【０００９】
前記突起は、片持ち状に延びる形態をなすロック片の自由端部に設けられている構成としてもよい。
このような構成によると、ロック片を撓み変形させることで突起を変位させることができる。また、ハウジングを樹脂成形する際に突起をハウジングと一体に成形することができるため、コストアップの要因にならない。
【発明の効果】
【００１０】
本明細書によって開示されるコネクタによれば、溶着工程を廃止することでコストダウンを図ることができる。
【図面の簡単な説明】
【００１１】
【図１】端子の側面図
【図２】端子の平面図
【図３】端子の正面図
【図４】端子の底面図
【図５】図１におけるＡ−Ａ線断面図
【図６】図４におけるＢ−Ｂ線断面図を含んだ端子の側面図
【図７】端子の側面図
【図８】端子の平面図
【図９】端子の正面図
【図１０】端子の底面図
【図１１】絶縁部材の側面図
【図１２】絶縁部材の平面図
【図１３】絶縁部材の底面図
【発明を実施するための形態】
【００１２】
＜実施形態＞
実施形態を図１から図１３の図面を参照しながら説明する。コネクタ１０は、図１に示すように、絶縁性の絶縁部材２０と、導電性の端子３０と、合成樹脂製のハウジング４０とを備えて構成されている。
【００１３】
絶縁部材２０は、触指対策用の樹脂材である。絶縁部材２０は、図１１から図１３に示すように、頭部２１と、頭部２１から後方に延びる軸部２２と、軸部２２の下部に凹設された収容部２３と、軸部２２の上面において頭部２１から後方に延びるガイドリブ２４とを備えて構成されている。ガイドリブ２４は、軸部２２の全長に亘って設けられている。
【００１４】
頭部２１は、前端部が丸みを帯びた丸棒状をなし、絶縁部材２０が端子３０に装着された状態では、図１および図２に示すように、端子３０の前方に配置されている。一方、軸部２２も、図５および図６に示すように、丸棒状をなしている。なお、軸部２２は、頭部２１と同軸に配置されている。
【００１５】
収容部２３は、図１１および図１３に示すように、下方と左右両側方との三方に開口した形状とされている。言い換えると、図５に示すように、収容部２３が設けられた位置における軸部２２は、断面半円形状をなしている。また、軸部２２における収容部２３以外の部分は、丸棒状をなしており、端子３０の内部空間を埋めるように配されている。
【００１６】
ハウジング４０は、図１に示すように、端子３０を収容する端子収容部４２の内部に設けられたロック片４１を有している。ロック片４１は、端子収容部４２の底壁から片持ち状をなして前方に突出する形態とされ、ハウジング４０を樹脂成形する際にハウジング４０と一体に成形されたものである。ロック片４１の前端部には、突起４３が設けられている。突起４３は、ロック片４１の前端部から上方に突出する形態とされている。ロック片４１が撓み変形することで突起４３が上下方向に変位するようになっている。
【００１７】
端子３０は、図７に示すように、相手端子に接続される端子接続部３１と、図示しない電線に接続される電線接続部３２と、端子接続部３１と電線接続部３２をつなぐ首部３３とを備えて構成されている。端子３０は、金属平板に打ち抜き加工、曲げ加工などを施すことによって形成されている。このため、端子３０の形状は、絞り加工を伴う場合に比べて安定している。
【００１８】
首部３３は、図８に示すように、端子接続部３１と等幅で構成された前側部分と、電線接続部３２に向けて拡径された後側部分とからなり、前側部分の上縁には、一対のフランジ部３４が設けられている。一方のフランジ部３４は、抜け止め用のフランジ部とされ、図示しないリテーナが係止可能とされている。他方のフランジ部３４は、ガイド用のフランジ部とされ、ハウジング４０に設けられた図示しないガイド溝に進入可能とされている。
【００１９】
端子接続部３１は、図９に示すように、略円筒状をなしている。詳細には端子接続部３１は、略Ｃ字状をなし、端子接続部３１の上部において上方に開口する形態をなしている。端子接続部３１の両端部３１Ａは、左右方向に対向する配置とされている。両端部３１Ａによって囲まれた空間は溝部３５とされている。図５に示すように、軸部２２の外周面は、端子接続部３１の内周面に沿う円弧状とされている。
【００２０】
軸部２２は、収容部２３が設けられている位置では図５に示すように、端子接続部３１の内部空間のうち上半分を埋めているものの、収容部２３が設けられていない位置では、端子接続部３１の内部空間を全て埋めている。このため、収容部２３が設けられていない位置では、相手端子と端子３０の接点で発熱した場合に、収容部２３が設けられている位置よりも発生した熱を軸部２２に放熱しやすくなる。
【００２１】
また、図１０に示すように、端子接続部３１の底壁３６には、挿通孔３７が下方に開口して設けられている。挿通孔３７は、打ち抜き加工によって形成された貫通孔であって、底壁３６のみに設けられている。挿通孔３７は、端子接続部３１の前後両端位置を除く中間位置に配されている。
【００２２】
次に、本実施形態の作用を説明する。絶縁部材２０を端子３０に対して前方から装着すると、ガイドリブ２４が溝部３５に進入し、絶縁部材２０が端子３０に対して周方向に位置決めされる。このようにして絶縁部材２０を周方向に位置決めした状態で絶縁部材２０の軸部２２を端子接続部３１の内部に挿入していく。  絶縁部材２０の軸部２２が正規の挿入位置に至ると、図６に示すように、端子３０の挿通孔３７と絶縁部材２０の収容部２３とが前後方向に一致して配される。つまり、挿通孔３７の前縁と収容部２３の前壁とが一致し、挿通孔３７の後縁と収容部２３の後壁とが一致する。また、図５に示すように、左右方向においても端子３０の挿通孔３７と絶縁部材２０の収容部２３とが一致することになる。詳細には、挿通孔３７の上端開口部の図示左端は収容部２３の図示左端よりも右方に位置し、挿通孔３７の上端開口部の図示右端は収容部２３の図示右端よりも左方に位置している。
【００２３】
収容部２３の内部は、挿通孔３７を介して端子接続部３１の外部に露出した状態となる。したがって、ロック片４１の突起４３が挿通孔３７に下方から進入すると、突起４３が挿通孔３７に挿通されるとともに、挿通孔３７を通過した突起４３が収容部２３の内部に収容される。突起４３が収容部２３の内部に収容された状態では、図６に示すように、突起４３が挿通孔３７の孔縁３８に係止することで端子３０がハウジング４０の端子収容部４２に保持される。同時に、突起４３が収容部２３の内壁２５に係止することで絶縁部材２０が端子接続部３１に保持される。この状態では、図１および図２に示すように、絶縁部材２０の頭部２１が端子接続部３１の前側に隣り合って配され、頭部２１の外周面と端子接続部３１の外周面とが前後方向に連続し、面一に並んで配される。
【００２４】
仮に、端子３０に対して前方から指が近づくと、指が頭部２１に接触するものの、端子接続部３１には接触しにくいようになっている。また、頭部２１が前方に引っ張られた場合には、収容部２３の後壁が突起４３に後方から係止することで、絶縁部材２０が端子接続部３１に保持される。また、端子接続部３１の内部空間は、絶縁部材２０の軸部２２によってほぼ充填されているため、端子接続部３１で発生した熱を絶縁部材２０の軸部２２に放熱しやすいものとされている。
【００２５】
以上のように本実施形態では、絶縁部材２０の軸部２２を端子接続部３１の内部に挿入し、この端子３０をハウジング４０に装着すると、ハウジング４０の突起４３が挿通孔３７に挿通されるとともに、挿通孔３７を通過して収容部２３の内部に収容される。この状態では、突起４３が挿通孔３７の孔縁３８と収容部２３の内壁２５との双方に係止するため、絶縁部材２０と端子３０の双方をハウジング４０に保持することができ、絶縁部材２０の軸部２２を端子接続部３１の内部に保持することができる。したがって、絶縁部材２０を端子３０に保持させるための溶着工程を廃止することができ、コストダウンを図ることができる。
【００２６】
端子接続部３１は、円筒状をなし、軸部２２の外面には、絶縁部材２０の端子３０に対する装着方向に延びるガイドリブ２４が設けられ、端子接続部３１には、ガイドリブ２４が進入する溝部３５が設けられている構成としてもよい。
このような構成によると、ガイドリブ２４を溝部３５に進入させることで、軸部２２を端子接続部３１に対して周方向に位置決めすることができる。
【００２７】
挿通孔３７は、端子接続部３１の前後両端位置を除く中間位置に配されている構成とした。
このような構成によると、端子接続部３１の中間位置で突起４３を挿通孔３７の孔縁３８に係止させることができるため、例えば突起４３を端子接続部３１の後端位置で係止させる場合に比較して端子の全長を短くすることができ、コネクタの全長を短くすることができる。
【００２８】
突起４３は、片持ち状に延びる形態をなすロック片４１の自由端部に設けられている構成としてもよい。
このような構成によると、ロック片４１を撓み変形させることで突起４３を変位させることができる。また、ハウジング４０を樹脂成形する際に突起４３をハウジング４０と一体に成形することができるため、コストアップの要因にならない。
【００２９】
＜他の実施形態＞
本明細書によって開示される技術は上記記述及び図面によって説明した実施形態に限定されるものではなく、例えば次のような種々の態様も含まれる。
（１）上記実施形態ではロック片４１が撓み変形することで突起４３が変位するものを例示しているものの、突起自体が撓み変形することで突起が変位するものとしてもよい。
【００３０】
（２）上記実施形態ではロック片４１が片持ち状をなすものを例示しているものの、ロック片が両持ち状をなすものとしてもよい。また、ロック片は片持ち状をなして後方に延びる形態としてもよい。
【００３１】
（３）上記実施形態ではガイドリブ２４が溝部３５に進入することで軸部２２を周方向に位置決めしているものの、端子接続部を角筒状とし、絶縁部材の軸部を角棒状とすることで、軸部を端子接続部に対して位置決めしてもよい。
【００３２】
（４）上記実施形態では挿通孔３７が端子接続部３１の中間位置に配されているものの、挿通孔を端子接続部の後端位置に設けてもよい。
【００３３】
（５）上記実施形態では収容部２３と挿通孔３７が前後方向において完全に一致して配されているものの、突起４３と干渉しなければ収容部２３の後壁をもう少し前方に配してもよい。
【符号の説明】
【００３４】
１０…コネクタ
２０…絶縁部材
２２…軸部
２３…収容部
２４…ガイドリブ
２５…内壁
３０…端子
３１…端子接続部
３５…溝部
３７…挿通孔
３８…孔縁
４０…ハウジング
４１…ロック片
４３…突起
【図１】
2018022582.tif 000003
【図２】
2018022582.tif 000004
【図３】
2018022582.tif 000005
【図４】
2018022582.tif 000006
【図５】
2018022582.tif 000007
【図６】
2018022582.tif 000008
【図７】
2018022582.tif 000009
【図８】
2018022582.tif 000010
【図９】
2018022582.tif 000011
【図１０】
2018022582.tif 000012
【図１１】
2018022582.tif 000013
【図１２】
2018022582.tif 000014
【図１３】
2018022582.tif 000015